(57)【特許請求の範囲】
【請求項１】
電子部品を電気ケーブルに電気的に接続する接続端子と、
前記電子部品、及び、前記接続端子を挿着許容するとともに、前記電気ケーブルと対向配置する函体とで構成し、
前記接続端子に、
対向する前記電気ケーブルを貫通して結線する貫通接続部を備えた接続構造であって、
前記函体における前記貫通接続部との対向部分に、
前記函体の前記電気ケーブル側と反対側からの前記貫通接続部の押圧を許容する押圧許容部を備えた
接続構造。
【請求項２】
前記押圧許容部を、
前記押圧による押圧方向に貫通する押圧許容貫通孔で構成した
請求項１に記載の接続構造。
【請求項３】
前記接続端子を複数備え、
前記押圧許容貫通孔を、
前記函体の前記電気ケーブル側と反対側から前記押圧許容貫通孔に挿通して前記貫通接続部を押圧する押圧治具による複数の前記貫通接続部を同時に押圧可能な形状で形成した
請求項２に記載の接続構造。
【請求項４】
前記函体に、
前記接続端子における前記電子部品の接点と接続する接点接続部、及び、前記電子部品を挿着する挿着部を備え、
前記貫通接続部、及び、前記押圧許容部を、
前記函体における前記挿着部を除く平面視位置に配設した
請求項１から３のいずれかに記載の接続構造。
【請求項５】
前記接続端子とともに前記電子部品の接点に接して前記電子部品を前記電気ケーブルに結線する端子部材を、前記函体における平面視外側部分に備え、
前記貫通接続部を、
前記函体における前記端子部材よりも平面視内側に配設した
請求項１から４のいずれかに記載の接続構造。
【請求項６】
電気ケーブルを貫通して結線する貫通接続部を備えた接続端子と、該接続端子とともに電子部品の接点に接して該電子部品を前記電気ケーブルに結線する端子部材と、前記電子部品、前記接続端子、及び、端子部材を挿着許容するとともに、前記電気ケーブルと対向配置する函体とで構成した接続構造により、電子部品をフラットケーブルに電気的に接続する接続方法であって、
前記函体に、前記接続端子、及び、前記端子部材を組み付ける端子組付け工程と、
前記函体に前記電子部品を組付けて前記接続端子と前記端子部材で電気回路を構成する電子部品組付け工程と、
前記貫通接続部を押圧する押圧治具を、前記函体の前記電気ケーブル側と反対側から前記貫通接続部を押圧する押圧方向に貫通する押圧許容貫通孔に挿通して、前記貫通接続部を対向する前記フラットケーブルの側へ押圧して貫通接続する貫通接続工程とを備えた
接続方法。
【発明の詳細な説明】
【技術分野】
【０００１】
この発明は、例えば、車両の照明装置や制御装置に使用される電子部品を電気ケーブルに接続する接続構造及びその接続方法に関する。
【背景技術】
【０００２】
従来、自動車の各種コントロールユニットや照明装置等にはプリント基板上に複数の電子部品を実装した電子部品搭載モジュールが用いられている（特許文献１参照）。
【０００３】
このような電子部品搭載モジュールで用いられる電子部品は、例えば、、平面視２ｍｍ×２ｍｍ角のＬＥＤチップのようにますます小型化しており、電子部品を電気ケーブルに接続する接続端子や、該接続端子や電子部品を保持する函体もますます小型化している。
【０００４】
このため、接続端子に備えた貫通端子を、電気ケーブルに貫通させて電気的に接続するために、電子部品、接続端子を組み付けたハウジングごと電気ケーブル側へ押圧した場合、その押し付け力により接続端子と電子部品とに僅かな位置ズレが生じることにより、電気的な接続状態が不安定となり、結果的に不具合が生じるおそれがあった。
【特許文献１】特開２００４−１１１４３５号公報
【発明の開示】
【発明が解決しようとする課題】
【０００５】
そこでこの発明は、電子部品を電気ケーブルに容易に、且つ、確実に接続することができる接続構造、及び、その接続方法を提供することを目的とする。
【課題を解決するための手段】
【０００６】
この発明は、
電子部品を電気ケーブルに電気的に接続する接続端子と、前記電子部品、及び、前記接続端子を挿着許容するとともに、前記電気ケーブルと対向配置する函体とで構成し、前記接続端子に、対向する前記電気ケーブルを貫通して結線する貫通接続部を備えた接続構造であって、前記函体における前記貫通接続部との対向部分に、前記函体の前記電気ケーブル側と反対側からの前記貫通接続部の押圧を許容する押圧許容部を備えた接続構造であることを特徴とする。
【０００７】
この発明の態様として、前記押圧許容部を、前記押圧による押圧方向に貫通する押圧許容貫通孔で構成することができる。
【０００８】
また、この発明の態様として、前記接続端子を複数備え、前記押圧許容貫通孔を、前記函体の前記電気ケーブル側と反対側から前記押圧許容貫通孔に挿通して前記貫通接続部を押圧する押圧治具による複数の前記貫通接続部を同時に押圧可能な形状で形成することができる。
【０００９】
また、この発明の態様として、前記函体に、前記接続端子における前記電子部品の接点と接続する接点接続部、及び、前記電子部品を挿着する挿着部を備え、前記貫通接続部、及び、前記押圧許容部を、前記函体における前記挿着部を除く平面視位置に配設することができる。
【００１０】
また、この発明の態様として、前記接続端子とともに前記電子部品の接点に接して前記電子部品を前記電気ケーブルに結線する端子部材を、前記函体における平面視外側部分に備えることができる。
【００１１】
また、この発明の態様として、前記貫通接続部を、前記函体における前記端子部材よりも平面視内側に配設することができる。
【００１２】
また、この発明は、電気ケーブルを貫通して結線する貫通接続部を備えた接続端子と、該接続端子とともに電子部品の接点に接して該電子部品を前記電気ケーブルに結線する端子部材と、前記電子部品、前記接続端子、及び、端子部材を挿着許容するとともに、前記電気ケーブルと対向配置する函体とで構成した接続構造により、電子部品をフラットケーブルに電気的に接続する接続方法であって、前記函体に、前記接続端子、及び、前記端子部材を組み付ける端子組付け工程と、前記函体に前記電子部品を組付けて前記接続端子と前記端子部材で電気回路を構成する電子部品組付け工程と、前記貫通接続部を押圧する押圧治具を、前記函体の前記電気ケーブル側と反対側から前記貫通接続部を押圧する押圧方向に貫通する押圧許容貫通孔に挿通して、前記貫通接続部を対向する前記フラットケーブルの側へ押圧して貫通接続する貫通接続工程とを備えた接続方法であることを特徴とする。
【００１３】
前記電子部品には、ＬＥＤチップ等の光源デバイスや各種センサ、さらには供給電圧を調整する抵抗器や、高い電圧が印加される場合のバイパス回路を構成するダイオード等であることを含む。  
前記接続端子は、電子部品を電気ケーブルに直接接続するピアス端子等の端子であることを含む。
【００１４】
また、前記端子部材は、接続端子によって電気ケーブルに電気的に接続された電子部品同士を電気的に接続することで電気回路を構成して間接的に電気ケーブルに接続する端子部材や、電子部品を電気ケーブルに直接接続して電気回路を構成する接続端子で構成する端子部材であることを含む。
【００１５】
前記電気ケーブルは、幅方向に所定間隔を隔てて配設した複数の平型導体と該複数の平型導体を一体的に平板状に被覆する被覆部材とからなるフラットケーブルであることをいう。  
なお、電気ケーブルとして丸撚り線を幅方向に並べて一体化したリボン電線を用いても良いが、放熱効果が高いフラットケーブルがより好ましい。
【００１６】
前記函体における前記挿着部を除く平面視位置とは、前記函体を平面視したとき、前記函体における前記挿着部を除く位置、すなわち、前記挿着部の外側部分の位置を示す。
【発明の効果】
【００１７】
本発明によれば、電子部品を電気ケーブルに容易に、且つ、優れた接続性能で接続することができる接続構造、及び、接続方法を提供することができる。
【発明を実施するための最良の形態】
【００１８】
本発明のＬＥＤモジュール１は、図１乃至１０に示すように、電子デバイス３（ＬＥＤ３０，抵抗器４０）をフラットケーブル１００に電気的に接続する接続端子６と、前記電子デバイス３及び前記接続端子６を挿着許容するとともに、前記フラットケーブル１００と対向配置するデバイスホルダー７とで構成し、ＬＥＤモジュール１は、前記接続端子６に、対向する前記フラットケーブル１００を貫通して結線するピアス部６３を備えている。
【００１９】
前記デバイスホルダー７における前記ピアス部６３との対向部分に、前記デバイスホルダー７の前記フラットケーブル１００側と反対側から前記ピアス部６３を押圧する押圧方向に貫通する押圧許容貫通孔２１を備えている。
【００２０】
前記接続端子６は、抵抗用接続端子６ａとＬＥＤ用接続端子６ｂの２つで構成している。前記押圧許容貫通孔２１は、前記デバイスホルダー７の前記フラットケーブル１００側と反対側から前記押圧許容貫通孔２１に挿通して前記ピアス部６３を押圧する押圧治具２５により、２つの前記接続端子６（６ａ，６ｂ）の前記ピアス部６３を同時に押圧可能な形状で形成している。
【００２１】
ＬＥＤモジュール１は、前記デバイスホルダー７に、前記電子デバイス３、及び、前記接続端子６における前記電子デバイス３の接点３２ａ，４１ａと接続する接触プレート６１を挿着するＬＥＤ挿着凹部７１、及び、抵抗器挿着凹部７２を備え、前記ピアス部６３、及び、押圧許容貫通孔２１を、前記デバイスホルダー７におけるＬＥＤ挿着凹部７１、及び、抵抗器挿着凹部７２を除く平面視位置、すなわち、ＬＥＤ挿着凹部７１、及び、抵抗器挿着凹部７２に対して平面視外側部分に配設している。
【００２２】
ＬＥＤモジュール１は、前記接続端子６とともに前記電子デバイス３の接点３２ｂ，４１ｂに接して前記電子デバイス３を前記フラットケーブル１００に結線する中間端子５を、前記デバイスホルダー７における平面視外側部分に備え、前記ピアス部６３を、前記デバイスホルダー７における前記中間端子５よりも平面視内側に配設している。
【００２３】
上述したＬＥＤモジュール１の構成について、図１乃至１０とともに、詳述する。  
なお、図１はＬＥＤモジュール１の斜視図を示し、図２はＬＥＤモジュール１の分解斜視図を示し、図３はＬＥＤモジュール１の底面側からの分解斜視図を示し、図４はデバイスホルダー７への電子デバイス３、中間端子５及び接続端子６の組み付けについての斜視図による説明図を示し、図５はデバイスホルダー７、フラットケーブル１００及びアンダーホルダー９の組み付けについての斜視図による説明図を示し、図６は電子デバイス３、中間端子５及び接続端子６を組み付けたデバイスホルダー７の平面図を示している。  
図７（ａ）は図６のａ−ａ断面図を示し、図７（ｂ）は図６のｂ−ｂ断面図を示し、図７（ｃ）は図６のｃ−ｃ断面図を示し、図７（ｄ）は図６のｄ−ｄ断面図を示している。図８は接続端子６を組み付けたデバイスホルダー７の底面図を示し、図９は後述する貫通接続工程の説明図を示し、図１０は図１におけるＡ−Ａ断面図を示している。
【００２４】
ＬＥＤモジュール１は、デバイスホルダー７に挿着したＬＥＤ３０や抵抗器４０からなる電子デバイス３をフラットケーブル１００に接続する接続ユニットである。  
電子デバイス３は、光源となるＬＥＤ３０と、ＬＥＤモジュール１の外部から印加される電圧をＬＥＤ３０の特性に合わせて所定電圧に調整する電圧調整回路を構成する抵抗器４０とで構成している。
【００２５】
なお、ＬＥＤ３０は、幅方向Ｗ（フラットケーブル１００の幅方向と同じ方向）及び長手方向Ｌ（フラットケーブルの長手方向と同じ方向）の長さに対して高さの低い約１〜２ｍｍ角の略直方体で形成されている。  
前記ＬＥＤ３０は上面に平面視円形の発光部３１を備えるとともに、幅方向Ｗの対向する両側面に底面から連続するＬ型の接点３２を備えている。なお、接点３２のうち、図２の左奥側を一方側接点３２ａとし、右手前側を他方側接点３２ｂとしている。
【００２６】
抵抗器４０は、ＬＥＤ３０より幅広、同程度の奥行き、並びに１／４程度の高さで形成された幅方向Ｗに長い薄型の直方体形状であり、幅方向Ｗの対向する両側面に底面から上面まで連続する接点４１を備えている。なお、接点４１のうち、図２の左奥側を一方側接点４１ａとし、右手前側を他方側接点４１ｂとしている。
【００２７】
このような構成のＬＥＤ３０と抵抗器４０とは、フラットケーブル１００の長手方向Ｌに沿って、図２における手前側に抵抗器４０を、奥側にＬＥＤ３０を、対向する接点３２ａ、３２ｂ及び接点４１ａ、４１ｂが幅方向Ｗにそれぞれ並ぶように配置されている。
【００２８】
中間端子５は、１枚の適宜の弾性を有する銅合金製のプレートから形成される。詳しくは、プレス加工により、ＬＥＤ３０および抵抗器４０が配置される部品配置開口５５を打ち抜き、長手方向Ｌに所定間隔を隔てて配置した２本の平行な幅方向Ｗのメインスプリング５１と、２本のメインスプリング５１の端部を連結する長手方向Ｌの２本の平行する長手方向フレーム５３（５３ａ，５３ｂ）とで構成された平面視ロの字型、すなわち、長方形の枠体形状に形成している。
【００２９】
メインスプリング５１は、幅方向Ｗの中央付近に、高さ方向のサインカーブ形状で形成された振幅部５１ａを備え、振幅部５１ａによる幅方向Ｗの付勢力を利用したスプリングを構成している。
【００３０】
２本のメインスプリング５１の端部を連結する長手方向Ｌの２本の長手方向フレーム５３のうち、図２における右手前側の他方側長手方向フレーム５３ｂの部品配置開口５５側の側面には、ＬＥＤ３０や抵抗器４０の他方側接点３２ｂ，４１ｂと接する正面視逆Ｕ型の端子接触部５２を備えている。
【００３１】
端子接触部５２は、部品配置開口５５側がフリーで、長手方向フレーム５３側が長手方向フレーム５３の側面に固定された片側支持状態に形成され、逆Ｕ字形状による幅方向Ｗの付勢力を利用したスプリングを構成している。
【００３２】
また、端子接触部５２は、図２，３におけるａ部拡大図に示すように、部品配置開口５５側の側面に、電子デバイス３の他方側接点３２ｂ、４１ｂと接触する接触凸部５２ｃを形成している。  
なお、本実施例において、中間端子５は銅合金で構成したが、導電性を有すれば金属製部材以外であってもよい。
【００３３】
デバイスホルダー７は、電子デバイス３、中間端子５及び接続端子６を挿着固定する、上面開放の直方体形状に形成されたホルダーであり、上面の開放部分に、電子デバイス３及び中間端子５を挿着固定するデバイス挿着凹部７０を構成している。また、底面に接続端子６を挿着固定する接続端子挿着凹部７９と、四隅近傍に下向きに突出するパイロットピン８０を備えている。
【００３４】
デバイス挿着凹部７０は、上方からの中間端子５の挿着ができるよう、中間端子５の平面形状より一回り大きく形成されている。
【００３５】
デバイス挿着凹部７０は、部品配置開口５５に対応する部分に構成し、ＬＥＤ３０を挿着するＬＥＤ挿着凹部７１と、抵抗器４０を挿着する抵抗器挿着凹部７２とを配設している。ＬＥＤ挿着凹部７１と抵抗器挿着凹部７２とは、それぞれの外側部分に逆コの字型で配置した抵抗器囲いブロック７３ａ，ＬＥＤ囲いブロック７３ｂで囲まれている。
【００３６】
したがって、部品配置開口５５と囲いブロック７３（７３ａ，７３ｂ）とをはめ合わせて挿着した中間端子５は、デバイス挿着凹部７０内における水平方向を略固定することができる。
【００３７】
なお、囲いブロック７３は、平面視内側に挿着する電子デバイス３の側方を三方向から囲繞する、図２における右手前側が開放された形状、すなわち、上述したように逆コの字型に形成している。
【００３８】
ＬＥＤ挿着凹部７１と抵抗器挿着凹部７２との左奥側の底面部分には、デバイスホルダー７の底面側の接続端子挿着凹部７９と連通して、該接続端子挿着凹部７９に挿着された接続端子６における接触プレート６１の挿通を許容する溝状の貫通孔７４を備えている。  
接続端子挿着凹部７９は、図８に示すように、該接続端子６における後述する接触プレート６１、水平プレート部６２、ピアス部６３のそれぞれを挿通許容する接触プレート挿着凹部７９Ａ、水平プレート挿着凹部７９Ｂ、及び、ピアス挿着凹部７９Ｃで構成している。
【００３９】
詳しくは、水平プレート挿着凹部７９Ｂは、デバイスホルダー７を底面視したとき幅方向Ｗに沿った直線状に構成し、接触プレート挿着凹部７９Ａ、及び、ピアス挿着凹部７９Ｃは、水平プレート挿着凹部７９Ｂの幅方向Ｗの両端部から長手方向Ｌに構成している。
【００４０】
接触プレート挿着凹部７９Ａは、図７（ａ），（ｃ）に示すように、上述したようにデバイスホルダー７の内部において上面側と貫通する貫通孔７４と連通して構成している。水平プレート挿着凹部７９Ｂ、及び、ピアス挿着凹部７９Ｃは、デバイスホルダー７の底面に設けた凹状の溝形状で形成している。
【００４１】
また、デバイスホルダー７には、該デバイスホルダー７の厚み方向へ貫通した押圧許容貫通孔２１を備えている。
【００４２】
押圧許容貫通孔２１は、デバイスホルダー７を平面視したとき、ロの字形をした中間端子５の内側であって、ＬＥＤ挿着凹部７１と抵抗器挿着凹部７２との外側、すなわち、抵抗器囲いブロック７３ａとＬＥＤ囲いブロック７３ｂとの間において、幅方向Ｗへ細長い矩形をした孔形状で形成している。
【００４３】
さらに、押圧許容貫通孔２１は、デバイスホルダー７を底面視したとき、ＬＥＤ用接続端子６ｂ、抵抗用接続端子６ａのそれぞれに対応する接続端子挿着凹部７９，７９のピアス挿着凹部７９Ｃ，７９Ｃと直交するよう幅方向Ｗへ細長い孔形状で形成している。
【００４４】
接続端子６は、抵抗器４０をフラットケーブル１００に接続する抵抗用接続端子６ａと、ＬＥＤ３０をフラットケーブル１００に接続するＬＥＤ用接続端子６ｂの２種類があり、それぞれは上から順に、ＬＥＤチップ３及び抵抗器４の接触端子３２，４１と接触する接触凸部６１ａを有する接触プレート６１と、該接触プレート６１に対して略直角で平面視カギ状の水平プレート部６２と、該水平プレート部６２の先端に備えたピアス部６３とで構成している。
【００４５】
ＬＥＤ用接続端子６ｂと抵抗用接続端子６ａとは、水平プレート部６２における幅方向Ｗの長さとカギ状の向きとを調整することでピアス部６３が、フラットケーブル１００の導電体１０１の位置に合うとともに、長手方向Ｌの位置が合うように配置することができる。
【００４６】
ピアス部６３は、上方に凸な正面視半円形のルーフ部６３ａと、該ルーフ部６３ａの幅方向Ｗ両端から下方に突出するピアス刃６３ｂとで構成している。なお、本実施例においては、１つのピアス部６３には、一端側で長手方向Ｌの所定間隔を隔てて配置した２枚のピアス刃６３ｂと他端側の１枚のピアス刃６３ｂとの計３枚のピアス刃６３ｂを備えている。
【００４７】
なお、中間端子５及び接続端子６は、０．１〜０．５ｍｍ厚の銅合金製板材で構成しているが、ＬＥＤ３０のサイズ等に合わせて、０．２〜０．２５ｍｍ厚程度の銅合金製板材が好適である。また、導電性を有するものであれば良く、前記銅合金に限定されない。
【００４８】
フラットケーブル１００は、幅方向Ｗに所定間隔を隔てて配設した２本の導電体１０１と、２本の導電体１０１を一体的に平板状に被覆する不導電性ラミネートシート１０２とで構成している。  
また、不導電性ラミネートシート１０２の幅方向Ｗの両端部におけるデバイスホルダー７のパイロットピン８０に対応する位置に、幅方向内側に半円形状の切欠き１０２ａを四ヶ所備えている。
【００４９】
アンダーホルダー９は、上面に、フラットケーブル１００の係着を許容する、フラットケーブル１００よりわずかに幅が広く、深さがフラットケーブル１００の厚さよりわずかに厚い係着溝９１を形成し、該係着溝９１の側部をまたぐようにして、デバイスホルダー７のパイロットピン８０に対応する位置に、パイロットピン８０の挿入を許容するパイロットホール８１を四ヶ所備えている。また、係着溝９１の平面視中央付近に、フラットケーブル１００を貫通したピアス刃６３ｂの支障を防止する回避凹部９２を備えている。
【００５０】
次に、それぞれを前記構成で構成したＬＥＤモジュール１の組み付け、及び、フラットケーブル１００への取り付け方法について説明する。  
ＬＥＤモジュール１の組み付け、及び、フラットケーブル１００への取り付け方法は、フラットケーブル１００に電子デバイス３を接続する接続方法であって、端子組付け工程と、電子部品組付け工程と、貫通接続工程とで行なう。
【００５１】
端子組付け工程は、デバイスホルダー７に、接続端子６、及び、中間端子５を組み付ける工程である。
【００５２】
詳しくは、端子組付け工程のうち、デバイスホルダー７に接続端子６を組み付ける工程について説明する。  
まず、図４（ａ）に示すように、底面が上側となるように上下逆さまにしたデバイスホルダー７の接続端子挿着凹部７９に、ピアス刃６３ｂが上方に突出するように上下逆さまにした接続端子６を、貫通孔７４に接触プレート６１が貫通すように挿着する。
【００５３】
この接続端子挿着凹部７９への接続端子６の挿着によって、図８に示すように、接続端子６の接触プレート６１、水平プレート部６２、及び、ピアス部６３のそれぞれを、接触プレート挿着凹部７９Ａ、水平プレート挿着凹部７９Ｂ、ピアス挿着凹部７９Ｃに挿着することができる。
【００５４】
ここで、ピアス部６３は、図４（ｂ）に示すように、ピアス刃６３ｂがデバイスホルダー７の底面から突出する態様でピアス挿着凹部７９Ｃに挿着することができる。
【００５５】
詳しくは、図８に示すように、接続端子６のピアス部６３をピアス挿着凹部７９Ｃに挿着すると、ＬＥＤ用接続端子６ｂ、及び、抵抗用接続端子６ａのそれぞれのピアス部６３，６３は、長手方向Ｌに互いに一致した位置で幅方向Ｗにおいて互いに並置された位置関係となる。さらに、図７（ｂ）に示すように、ＬＥＤ用接続端子６ｂと抵抗用接続端子６ａとのそれぞれのピアス部６３，６３（ルーフ部６３ａ，６３ａ）は、略同じ高さ位置、すなわち、厚み方向位置となる位置関係となる。
【００５６】
さらにまた、ピアス挿着凹部７９Ｃに挿着したピアス部６３は、押圧許容貫通孔２１を跨ぐ位置関係でピアス挿着凹部７９Ｃに挿着することができる。すなわち、図６に示すように、ピアス部６３は、デバイスホルダー７を平面視したとき、押圧許容貫通孔２１を通じてルーフ部６３ａを上方から視認可能な態様で挿着することができる。
【００５７】
一方、図４（ｃ）に示すように、デバイスホルダー７をその上面が上側となるように戻した場合に、接触プレート挿着凹部７９Ａに挿着した接触プレート６１は、貫通孔７４を通じて、囲いブロック７３の平面視内側からデバイス挿着凹部７０に突出する態様となる。
【００５８】
そして端子組付け工程のうち、デバイスホルダー７に中間端子５を組み付ける工程について説明する。  
接続端子６が挿着されたデバイスホルダー７のデバイス挿着凹部７０の上方から中間端子５を挿着する。これにより、振幅部５１ａが囲いブロック７３の側部に配置されるとともに、端子接触部５２が接触プレート６１と幅方向Ｗにおける対向する位置に配置され、一方側長手方向フレーム５３ａによって幅方向Ｗ位置が固定された態様で挿着することができる。
【００５９】
続く電子部品組付け工程は、前記デバイスホルダー７にＬＥＤ３０、抵抗器４０で構成する前記電子デバイス３を組付けて前記接続端子６と前記中間端子５で電気回路を構成する工程である。
【００６０】
電子部品組付け工程では、図４（ｄ）に示すように、中間端子５及び接続端子６が挿着された状態のデバイス挿着凹部７０の上方から電子デバイス３を挿着する。詳しくは、抵抗器４０は、図７（ｃ），（ｄ）に示すように、抵抗器挿着凹部７２に、抵抗器囲いブロック７３ａの接触プレート６１と中間端子５の端子接触部５２との間に挟み込むように割り込ませて挿着し、図７（ａ），（ｄ）に示すように、ＬＥＤ３０は、ＬＥＤ挿着凹部７１に、ＬＥＤ囲いブロック７３ｂの接触プレート６１と中間端子５の端子接触部５２との間に挟み込むように割り込ませて挿着する。これにより、ＬＥＤ３０及び抵抗器４０は、デバイスホルダー７の上面から突出しない態様でデバイスホルダー７に挿着することができる。
【００６１】
上述した端子組付け工程では、デバイスホルダー７に、接続端子６を組み付けた後で中間端子５を組み付けたが、この順に限定せず、中間端子５を組み付けた後で接続端子６を組み付けてもよい。
【００６２】
続いて、図５（ａ）に示すように、上下に配置したデバイスホルダー７及びアンダーホルダー９の間にフラットケーブル１００を配置する。
【００６３】
そして、図５（ｂ）に示すように、フラットケーブル１００をアンダーホルダー９の係着溝９１に、切欠き１０２ａとパイロットホール８１とが対応する位置で係着させる。
【００６４】
貫通接続工程は、上下に配置したデバイスホルダー７及びアンダーホルダー９の間に配置したフラットケーブル１００をアンダーホルダー９の係着溝９１に、切欠き１０２ａとパイロットホール８１とが対応する位置で係着させた後、前記接続端子６に備えた前記ピアス部６３を、フラットケーブル１００に貫通接続する工程である。
【００６５】
すなわち、図９に示すように、前記接続端子６に備えて前記フラットケーブル１００に貫通させて結線するピアス部６３を押圧する押圧治具２５を、前記デバイスホルダー７の前記フラットケーブル１００側と反対側から前記ピアス部６３を押圧する押圧方向に貫通する押圧許容貫通孔２１に挿通して、前記ピアス部６３を対向する前記フラットケーブル１００の側へ押圧して貫通接続する工程である。
【００６６】
前記押圧治具２５は、押圧許容貫通孔２１へ挿通可能な板状の押圧挿入部２５ａを備えている。  
押圧挿入部２５ａは、ステンレス製であり、押圧許容貫通孔２１の平面視矩形状に形成された孔形状よりも一回り小さな横断面形状を備えるとともに、デバイスホルダー７を厚み方向へ突き抜け可能な細長い直線状に構成している。さらにまた、押圧挿入部２５ａの先端部分は、平坦状に構成している。  
なお、押圧挿入部２５ａは、先端部分がピアス部６３と接触したとき、ピアス部６３の背中部分に相当する凸形状のルーフ部６３ａに嵌まり込んでピアス部６３を位置決め可能な凹部を平坦状の先端部分に形成した形状であってもよい（図示せず）。さらに、前記押圧治具２５には、柄部を備えて構成してもよい（図示せず）。
【００６７】
このような押圧治具２５を、図９（ａ）に示すように、デバイスホルダー７の上面側から押圧許容貫通孔２１へ真直ぐに挿入すると、図９（ｂ）に示すように、押圧挿入部２５ａの平坦状の先端部分が、ＬＥＤ用接続端子６ｂと抵抗用接続端子６ａとの各ピアス部６３のルーフ部６３ａ，６３ａに同時に突き当たる。この状態でピアス部６３を、さらに押圧することにより、図９（ｃ）に示すように、ＬＥＤ用接続端子６ｂと抵抗用接続端子６ａとのそれぞれをフラットケーブル１００側を同時に押圧した状態で降下させることができる。
【００６８】
よって、ピアス部６３のピアス刃６３ｂは、デバイスホルダー７の底面から下方に突出しているため、フラットケーブル１００の不導電性ラミネートシート１０２ごと導電体１０１に同時に貫通させることができる。
【００６９】
なお、フラットケーブル１００を貫通したピアス刃６３ｂの先端は、回避凹部９２に挿入されるような態様となるため、ピアス刃６３ｂの貫通した先端による悪影響を及ぼすことなくデバイスホルダー７とアンダーホルダー９とを嵌合することができる。
【００７０】
図９（ｄ）に示すように、押圧治具２５の押圧挿入部２５ａを押圧許容貫通孔２１から抜き、アンダーホルダー９のパイロットホール８１にデバイスホルダー７のパイロットピン８０を挿入して、アンダーホルダー９とデバイスホルダー７とを嵌合させる。  
以上により、図１０に示すようにＬＥＤモジュール１を組み立てることができる。
【００７１】
このように構成したＬＥＤユニット１の作用効果について説明する。  
ＬＥＤモジュール１により、電子デバイス３をフラットケーブル１００へ容易に、優れた接続性能で接続することができる。
【００７２】
また、本発明のＬＥＤモジュール１は、前記デバイスホルダー７における前記ピアス部６３との対向部分に、前記デバイスホルダー７の前記フラットケーブル１００側と反対側から前記ピアス部６３を押圧する押圧方向に貫通する押圧許容貫通孔２１を構成しているため、押圧許容貫通孔２６を通じてピアス部６３を効果的に押圧することができる。
【００７３】
したがってピアス部６３を押圧することでフラットケーブル１００に対して容易に、且つ、確実に電気的に貫通接続することができる。
【００７４】
すなわち、例えば、ピアス部６３をフラットケーブル１００側へ貫通接続させるために、従来のように電子デバイス３や接続端子６を挿着したデバイスホルダー７ごとフラットケーブル１００側へ押圧した場合のように、接続端子６に対して電子デバイス３が不測に位置ズレして接続端子６と電子デバイス３との電気的な接続状態が不安定になってしまうといった不具合が生じることがなく、ピアス部６３をフラットケーブル１００へ確実に貫通接続することができる。
【００７５】
また、前記接続端子６を、ＬＥＤ用接続端子６ｂと抵抗用接続端子６ａの２つを構成し、前記押圧許容貫通孔２１は、前記デバイスホルダー７の前記フラットケーブル１００側と反対側から前記押圧許容貫通孔２１に挿通して前記ピアス部６３を押圧する押圧治具２５により、２つの前記接続端子６の前記ピアス部６３の同時に押圧可能な形状で構成しているため、２つのピアス部６３のそれぞれをフラットケーブル１００に同時に押圧することができ、これにより２つのピアス部６３のそれぞれのフラットケーブル１００に対する押付け力などの押し付け条件を同じレベルとして押圧することができる。
【００７６】
したがって複数のピアス部６３間でのフラットケーブル１００に対する接続性能に斑が生じることなく同じ態様で貫通接続することができ、フラットケーブル１００に容易に、且つ、確実に貫通接続することができる。
【００７７】
ＬＥＤモジュール１は、前記デバイスホルダー７に、前記電子デバイス３、及び、前記接続端子６における前記電子デバイス３の接点３２ａ，４１ａと接続する接触プレート６１を挿着するＬＥＤ挿着凹部７１、及び、抵抗器挿着凹部７２を備え、前記ピアス部６３、及び、前記押圧許容貫通孔２１を、ＬＥＤ挿着凹部７１、及び、抵抗器挿着凹部７２に対して平面視外側に配設しているため、電子デバイス３の組み付け後であっても、前記デバイスホルダー７における前記フラットケーブル１００側と反対側からの前記ピアス部６３の押圧が該電子デバイス３により阻害されることなくピアス部６３を容易に、且つ、確実に電気的にフラットケーブル１００に貫通接続することができる。
【００７８】
さらにまた、前記ピアス部６３をフラットケーブル１００側へ押圧時に、押圧治具２５が電子デバイス３に干渉することを防ぐことができ、ピアス部６３をフラットケーブル１００に確実に貫通接続することができる。
【００７９】
ＬＥＤモジュール１は、前記接続端子６とともに前記電子デバイス３の接点３２ｂ，４１ｂに接して前記電子デバイス３を前記フラットケーブル１００に結線する中間端子５を、前記デバイスホルダー７における平面視外側部分に備え、前記ピアス部６３を、前記デバイスホルダー７における前記中間端子５よりも平面視内側に配設しているため、中間端子５の組み付け後であっても、前記デバイスホルダー７における前記フラットケーブル１００側と反対側からの前記ピアス部６３の押圧が中間端子５により阻害されることなくピアス部６３を容易に、且つ、確実に電気的にフラットケーブル１００に貫通接続することができる。
【００８０】
さらにまた、前記ピアス部６３をフラットケーブル１００側へ押圧時に、押圧治具２５が中間端子５に干渉することを防ぐことができ、ピアス部６３をフラットケーブル１００に確実に貫通接続することができる。
【００８１】
また、本発明の接続構造は、上述した実施形態のＬＥＤモジュール１に限定せず、その他にも様々な実施形態で構成することができる。  
以下では、図１１乃至１４に示すような他の実施形態のＬＥＤモジュール１’、及び、ＬＥＤモジュール１’の組み付け方法について説明するが、上述したＬＥＤモジュール１と同様の構成については、同一の符号を付して、その説明を省略する。
【００８２】
なお、図１１は他の実施形態のＬＥＤモジュールの説明図であり、図１２は図１１のＢ−Ｂ線断面斜視図を示している。図１３は他の実施形態の貫通接続工程の説明図を示し、図１４は図１１のＢ−Ｂ線断面図を示す。
【００８３】
図１１，１２に示すように、デバイスホルダー７には、２つの押圧許容貫通孔２１’を備え、それぞれを、抵抗器囲いブロック７３ａとＬＥＤ囲いブロック７３ｂとの間において、幅方向Ｗに所定の間隔を隔てた各部分に構成している。  
すなわち、２つの押圧許容貫通孔２１’は、接続端子６を接続端子挿着凹部７９に挿着したとき、ピアス挿着凹部７９Ｃに挿着されたＬＥＤ用接続端子６ｂ抵抗用接続端子６ａとの各ピアス部６３，６３と平面視一致する部分にそれぞれ構成している。
【００８４】
また、貫通接続工程で用いる押圧治具２７は、図１３に示すように、押圧挿入部２８を、基部側から分岐して先端側へ互いに平行に先端側へ直線状に突出した形態の２本の分岐押圧挿入棒状部２８ａを備えて構成している。  
２本の分岐押圧挿入棒状部２８ａは、いずれも同一長さで構成し、その先端部は、いずれも平坦状に構成している。
【００８５】
貫通接続工程において、図１３（ａ）に示すように、押圧治具２７における２本の分岐押圧挿入棒状部２８ａのそれぞれを押圧許容貫通孔２１’に真直ぐ挿入する。そうすると、図１３（ｂ）に示すように、ＬＥＤ用接続端子６ｂと抵抗用接続端子６ａとの各ルーフ部６３ａは、上下方向位置が同じ位置に配されているため同時に突き当たる。さらに、ルーフ部６３ａをフラットケーブル１００側へさらに押圧することにより、図１３（ｃ）に示すように、ピアス部６３のピアス刃６３ｂを、フラットケーブル１００の不導電性ラミネートシート１０２ごと同一の態様で同時に導電体１０１に貫通させることができる。
【００８６】
図１３（ｄ）に示すように、押圧治具２７の押圧挿入部２８を押圧許容貫通孔２１’から抜き、アンダーホルダー９のパイロットホール８１にデバイスホルダー７のパイロットピン８０を挿入して、アンダーホルダー９とデバイスホルダー７とを嵌合させるれば、図１４に示すようにＬＥＤモジュール１’を組み立てることができる。
【００８７】
よって、本実施形態のＬＥＤモジュール１’においても、複数のピアス部６３のそれぞれを接続性能に斑が生じることなく同じ態様で貫通接続することができ、フラットケーブル１００に容易に、且つ、確実に貫通接続することができる。
【００８８】
また、本発明の接続構造は、上述した実施形態のＬＥＤモジュール１，１’に限定せず、その他にも様々な実施形態で構成することができる。  
例えば、接続端子６のピアス部６３の押圧を許容する手段としては、押圧許容貫通孔２１，２１’に限らず、押圧を許容する構成であれば、他の構成であってもよい。
【００８９】
詳しくは、押圧許容貫通孔２１には、該押圧許容貫通孔２１を閉塞する状態で、ルーフ部６３ａを押圧可能に降下するとともに、もとの位置に復帰するようスライドするスライド部材を備えてもよく（図示せず）、この場合、このスライド部材を押圧することで、このスライド部材を介してピアス部６３をフラットケーブル１００側へ押圧して貫通接続することができる。
【００９０】
また、接続端子６のピアス部６３をフラットケーブル１００側へ押圧するための前記押圧治具２７は、押圧挿入部２８を、分岐した形態に限らず、押圧許容貫通孔２１’に１つづつ挿入可能な１本の直線の棒状の形態で構成してもよい。
【００９１】
この構成の場合、押圧挿入部２８を２つの押圧許容貫通孔２１へ１つづつ挿入してピアス部６３をフラットケーブル１００側へ押圧して貫通接続することができる。
【００９２】
さらにまた、接続端子６のピアス部６３をフラットケーブル１００側へ押圧するための手段としては、押圧治具２５，２７を用いるに限らず、押圧許容貫通孔２１，２１’へ差し込んでピアス部６３をフラットケーブル１００側へ押圧可能な部材であれば、例えば、針金など身近にある部材を用いてもよい。
【００９３】
以上、この発明の構成と、上述の実施形態との対応において、
この発明の電子部品は、電子デバイス３，ＬＥＤ３０、及び抵抗器４０に対応し、
以下同様に、
電気ケーブルは、フラットケーブル１００に対応し、
接続端子は、接続端子６，ＬＥＤ用接続端子６ｂ，抵抗用接続端子６ａに対応し、
函体は、デバイスホルダー７に対応し、
貫通接続部は、押圧許容貫通孔２１，２１’に対応し、
接点接続部は、接触プレート６１に対応し、
挿着部は、ＬＥＤ挿着凹部７１、抵抗器挿着凹部７２に対応し、
端子部材は、中間端子５に対応し、
接続構造は、ＬＥＤモジュール１，１’に対応するも、
この発明は、上述の実施形態の構成のみに限定されるものではなく、多くの実施の形態を得ることができる。
【００９４】
フラットケーブル１００は、ピアス部６３が接続しやすい絶縁部材である不導電性ラミネートシート１０２で被覆されたフラットケーブル１００であればよく、特に、本実施形態のものに限定されるものではないが、不導電性ラミネートシート１０２の材質としては、具体的にはＰＥＴ樹脂が好ましい。
【００９５】
また、導電体１０１についても、放熱性に優れる帯状の導電体だけでなく、丸形断面の導電体であってもよく、導電体１０１の材質としては導電性を有するものであれば良いが、好ましくは金属製、より好ましくは導電性に優れる銅、銅合金が良い。
【図面の簡単な説明】
【００９６】
【図１】ＬＥＤモジュールの斜視図。
【図２】ＬＥＤモジュールの分解斜視図。
【図３】ＬＥＤモジュールの底面側からの分解斜視図。
【図４】デバイスホルダーへの電子デバイス、中間端子及び接続端子の組み付けについての説明図。
【図５】デバイスホルダー、フラットケーブル及びアンダーホルダーの組み付けについての説明図。
【図６】電子デバイス、中間端子及び接続端子を組み付けたデバイスホルダーの平面図。
【図７】電子デバイス、中間端子及び接続端子を組み付けたデバイスホルダーの説明図。
【図８】電子デバイス、中間端子及び接続端子を組み付けたデバイスホルダーの底面図。
【図９】貫通接続工程の説明図。
【図１０】図１のＡ−Ａ線断面図。
【図１１】第２の実施形態のＬＥＤモジュールの説明図。
【図１２】図１１のＢ−Ｂ線断面斜視図。
【図１３】第２の実施形態の貫通接続工程の説明図。
【図１４】図１１のＢ−Ｂ線断面図。
【符号の説明】
【００９７】
１，１’…ＬＥＤモジュール
３…電子デバイス
５…中間端子
６…接続端子
６ａ…抵抗用接続端子
６ｂ…ＬＥＤ用接続端子
７…デバイスホルダー
２１，２１‘…押圧許容貫通孔
２５，２７…押圧治具
３０…ＬＥＤ
４０…抵抗器
６１…接触プレート
６３…ピアス部
７１…ＬＥＤ挿着凹部
７２…抵抗器挿着凹部
１００…フラットケーブル
【図１】
0005053167.tif 000002
【図２】
0005053167.tif 000003
【図３】
0005053167.tif 000004
【図４】
0005053167.tif 000005
【図５】
0005053167.tif 000006
【図６】
0005053167.tif 000007
【図７】
0005053167.tif 000008
【図８】
0005053167.tif 000009
【図９】
0005053167.tif 000010
【図１０】
0005053167.tif 000011
【図１１】
0005053167.tif 000012
【図１２】
0005053167.tif 000013
【図１３】
0005053167.tif 000014
【図１４】
0005053167.tif 000015